(57)【特許請求の範囲】
【請求項１】
シャワーノズルの吐出口から吐出された水が洗浄部位以外に飛散するのを防止するための水飛散防止用フードを有したフード付きシャワーノズルにおいて，
前記水飛散防止用フードが，多孔質素材からなる第１の層と，前記第１の層より硬質の多孔質素材からなる第２の層とを有し，前記吐出口の近傍の前記第１の層の外側を前記第２の層で覆ったことを特徴とするフード付きシャワーノズル。
【請求項２】
前記水飛散防止用フードは，前記シャワーノズルの吐出口側から洗浄部位側に向かって徐々に内径を大きくした円筒形状であることを特徴とする請求項１に記載のフード付きシャワーノズル。
【請求項３】
前記水飛散防止用フードは，前記シャワーノズルから着脱可能であることを特徴とする請求項１または２に記載のフード付きシャワーノズル。
【発明の詳細な説明】
【０００１】
【発明の属する技術分野】
本発明は，シャワーノズルの吐出口から吐出された水が洗浄部位以外に飛散するのを防止するための水飛散防止用フードを有したフード付きシャワーノズルに関する。
【０００２】
【従来の技術】
美容室・理容室において顧客の頭部を洗浄する場合や，または医療や介護の現場において入浴ができない場合，特定の部分のみを洗浄したい場合のように，洗浄の対象となる洗浄部位のみに水（洗浄液）をかけて，それ以外の部分に水が飛び散らないように作業を行いたいことがある。
【０００３】
このような場合，例えば，美容室・理容室で顧客の頭部を洗浄する際には，シャワーノズルを出来るだけ頭部に近づけて水の飛散が小さくなるようにしたり，予め水が飛び散らないように水の吐出量を加減しているのが一般的である。
【０００４】
また，シャワーノズルの吐出口から吐出された水が洗浄部位以外に飛散するのを防止するためのカバー（水飛散防止用フード）を有したものとして，特開平７−２５５５２３号公報に開示されている頭部洗浄器がある。この頭部洗浄器は，図１１に示すように，洗浄液を噴出するノズル体１１０１の先端側周囲をカバー１１０２で覆い，カバー１１０２の開放端側を頭部に押し当てた状態で，ノズル本１１０１から洗浄液を噴出させて頭部を洗うものである。頭部で跳ね返った洗浄液はカバー１１０２の内壁に当たって落下するため，洗浄液（水）の飛散を防止することができる。また，カバー１１０２には，水抜き用の切り欠き１１０３が設けられており，この切り欠き１１０３によって噴出された洗浄液をカバー１１０２の外へ排出することにより，カバー１１０２の内側に多量の洗浄液が溜まることを回避している。
【０００５】
【発明が解決しようとする課題】
しかしながら，上記従来の技術によれば，ノズル体に設けたカバーによって水の飛散を防止しているものの，カバーの内側に溜まった水を切り欠きで排出する構造であるため，カバーの切り欠きの大きさと吐出水量のバランスが難しく，使い勝手が悪いという問題点があった。
【０００６】
具体的には，例えば，ノズル体からの吐出水量によっては，カバー内に水が溜まって吐出水圧が弱くなったり，洗浄効果が低下するという不具合が発生する。また，排出のために切り欠きを大きくすると，ノズル体からの吐出水圧によっては，切り欠きから水が飛散してカバーの役割を果たせなくなるという不具合や，水が飛散しない程度にノズル体から吐出水圧を調整すると，洗浄効果が低下するという不具合が発生する。
【０００７】
本発明は上記に鑑みてなされたものであって，ノズルからの吐出水圧や吐出水量にかかわらず，水の飛散を防止すると共に，水の排出を適切に行えるフード付きシャワーノズルを提供することを目的とする。
【００１１】
【課題を解決するための手段】
上記の目的を達成するために，請求項１に係るフード付きシャワーノズルは，シャワーノズルの吐出口から吐出された水が洗浄部位以外に飛散するのを防止するための水飛散防止用フードを有したフード付きシャワーノズルにおいて，前記水飛散防止用フードが，多孔質素材からなる第１の層と，前記第１の層より硬質の多孔質素材からなる第２の層とを有し，前記吐出口の近傍の前記第１の層の外側を前記第２の層で覆ったものである。
【００１３】
また，請求項２に係るフード付きシャワーノズルは，請求項１に記載のフード付きシャワーノズルにおいて，前記水飛散防止用フードが，前記シャワーノズルの吐出口側から洗浄部位側に向かって徐々に内径を大きくした円筒形状であるものである。
【００１４】
また，請求項３に係るフード付きシャワーノズルは，請求項１または２に記載のフード付きシャワーノズルにおいて，前記水飛散防止用フードが，前記シャワーノズルから着脱可能であるものである。
【００１５】
【発明の実施の形態】
以下，本発明のフード付きシャワーノズルについて，〔実施の形態１〕〜〔実施の形態６〕の順に図面を参照して詳細に説明する。
【００１６】
〔実施の形態１〕
図１（ａ），（ｂ）は，実施の形態１のフード付きシャワーノズルの構成を示し，シャワーノズル１０１の吐出口１０１ａを覆うように，円筒状の水飛散防止用フード１０２を設けたものである。水飛散防止用フード１０２は網状の素材からなり，水の飛散を防止可能な目の粗さ（あるいは目の細かさ）であれば良く，例えば，網の繊維が約０．３ｍｍ，各繊維間の間隔が１．０ｍｍで等間隔に編まれた網状の素材を使用することができる。
【００１７】
また，水飛散防止用フード１０２は，シャワーノズル１０１の吐出口１０１ａから吐出された水を妨げないように適正な剛性を有しており，吐出口１０１ａから開口部１０２ａまでの水の通り路を常に確保できる構造である。
【００１８】
さらに，水飛散防止用フード１０２の開口部１０２ａ側には，頭皮等の洗浄面を傷めないための縁取り１０３が設けられている。
【００１９】
以上の構成において，実施の形態１のフード付きシャワーノズルを用いて，頭部を洗浄した場合，シャワーノズル１０１の吐出口１０１ａから吐出された水は，頭部に跳ね返って飛散するが，水飛散防止用フード１０２によって遮られた後，水飛散防止用フード１０２を伝わって落下する。また，頭部に吐出された水および水飛散防止用フード１０２を伝わって落下してきた水は，水飛散防止用フード１０２が網状であるため，容易に水飛散防止用フード１０２の外部へ排出される。したがって，シャワーノズル１０１からの吐出水圧や吐出水量にかかわらず，水の飛散を防止すると共に，水の排出を適切に行うことができる。
【００２０】
〔実施の形態２〕
図２は，実施の形態２のフード付きシャワーノズルの水飛散防止用フード２０１の構成を示す。なお，基本的には実施の形態１と同様につき，ここでは異なる部分のみを示す。
【００２１】
水飛散防止用フード２０１は，網状の素材を多層に配置した構造で，かつ，各層の間に空間層を持つ構成であり，図示の如く，網状の素材２０１ａと網状の素材２０１ｂの間にΔＤの空間が設けられている。
【００２２】
実施の形態２においても，実施の形態１と同様の効果を奏することができると共に，水飛散防止用フード２０１が二重になっており，さらに間に空間層があるため，さらに水飛散防止効果を高めることができる。
【００２３】
〔実施の形態３〕
図３は，実施の形態３のフード付きシャワーノズルの水飛散防止用フード３０１の構成を示す。なお，シャワーノズルは，実施の形態１と同様につき，図示および説明を省略する。
【００２４】
水飛散防止用フード３０１はスポンジ（多孔質素材）からなり，水の吸収・排出にすぐれたものであれば良く，例えば，エバーライトＳＦ（ブリヂストン社製）のＨＲ−０８（セル範囲：２５ｍｍの間隔に約８個のセル），ＨＲ−１３（セル範囲：２５ｍｍの間隔に約１３個のセル），ＨＲ−２０（セル範囲：２５ｍｍの間隔に約２０個のセル）等を用いることができる。
【００２５】
また，水飛散防止用フード３０１は，シャワーノズルの吐出口から吐出された水を妨げないように適正な剛性を有しており，吐出口から開口部１０２ａまでの水の通り路を常に確保できる構造である。
【００２６】
さらに，水飛散防止用フード３０１はスポンジであるため，頭皮等の洗浄面にソフトに密着するので，水飛散防止効果が高いと共に，洗浄面を傷めないという利点がある。
【００２７】
以上の構成において，実施の形態３のフード付きシャワーノズルを用いて，頭部を洗浄した場合，シャワーノズルの吐出口から吐出された水は，頭部に跳ね返って飛散するが，水飛散防止用フード３０１によって遮られて吸収された後，水飛散防止用フード３０１を伝わって落下する。また，頭部に吐出された水および水飛散防止用フード３０１を伝わって落下してきた水は，水飛散防止用フード３０１がスポンジであるため，容易に水飛散防止用フード３０１の外部へ排出される。したがって，シャワーノズルからの吐出水圧や吐出水量にかかわらず，水の飛散を防止すると共に，水の排出を適切に行うことができる。
【００２８】
〔実施の形態４〕
図４は，実施の形態４のフード付きシャワーノズルの水飛散防止用フード４０１の構成を示す。なお，シャワーノズルは，実施の形態１と同様につき，図示および説明を省略する。
【００２９】
また，実施の形態４の水飛散防止用フード４０１は，柔らかなスポンジ（多孔質素材）からなる第１のフード４０２と，硬めのスポンジ（多孔質素材）からなる第２のフード４０３とから構成され，図示の如く，第１のフード４０２の吐出口側が第２のフード４０３で覆われている。
【００３０】
実施の形態４においても，実施の形態３と同様の効果を奏することができると共に，水飛散防止用フード４０１が二重になって，硬めのスポンジ（多孔質素材）からなる第２のフード４０３が吐出口側にあるため，この第２のフード４０３を掴んで洗浄作業を行うことができ，作業性の向上を図ることができる。また，第２のフード４０３によって適当な剛性を確保できるので，第１のフード４０２は水の吸水・排水機能に優れたより柔らかなスポンジを使用でき，使用感の向上を図ることができる。
【００３１】
〔実施の形態５〕
図５は，実施の形態５のフード付きシャワーノズルの水飛散防止用フード５０１の構成を示す。なお，シャワーノズルは，実施の形態１と同様につき，図示および説明を省略する。
【００３２】
実施の形態５の水飛散防止用フード５０１は，図４で示した実施の形態４の水飛散防止用フード４０１の第２のフード４０３を，網状の素材からなる第２のフード５０２に変更したものである。第２のフード５０２は網状の素材であり，この網状の素材で適当な剛性を確保することにより，第２のフード５０２を掴んで洗浄作業を行うことができ，作業性の向上を図ることができる。
【００３３】
〔実施の形態６〕
図６は，実施の形態６のフード付きシャワーノズルの水飛散防止用フード６０１の構成を示す。なお，シャワーノズルは，実施の形態１と同様につき，図示および説明を省略する。
【００３４】
実施の形態６の水飛散防止用フード６０１は，網状の素材からなる第１のフード６０２と，スポンジ（多孔質素材）からなる第２のフード６０３とからなり，第１のフード６０２と第２のフード６０３との間に空間層６０４を設けたものである。
【００３５】
実施の形態６の水飛散防止用フード６０１は，実施の形態１の効果に加えて，網状の素材と多孔質素材とを組み合わせたため，柔らかな多孔質素材を用いた場合でも，網状の素材のコシの強さを利用して，多孔質素材が必要以上に内側に曲がってノズルの吐出口を塞ぐことを回避できる。
【００３６】
なお，実施の形態６では，網状の素材からなる第１のフード６０２を内側に配置したが，図７に示すように，第２のフード６０３を内側にして，外側に第１のフード６０２を配置しても良い。
【００３７】
前述した実施の形態１〜６の変形例として，例えば，図８に示すように，シャワーノズル８０１および水飛散防止用フード８０２にそれぞれ着脱機構８０１ａ，８０２ａを設けて，着脱可能な構成としても良い。このような構成とすることにより，複数の水飛散防止用フード８０２を用意して，これらを取り替えて使用することが可能であり，未使用状態の水飛散防止用フード８０２を乾かしたり，消毒することができ，衛生的である。特にかびの発生・悪臭の発生を防ぐことができるので，使用感が向上する。さらに，図９に示すように，円筒状の水飛散防止用フード９０１を開いて乾かせる構成とすると効果的である。
【００３８】
また，図１０に示すように，水飛散防止用フード１００１を，シャワーノズルの吐出口側から洗浄部位側に向かって徐々に内径を大きくした円筒形状としても良い。これによって，フードを洗浄面に当接した状態でも，水が当たる部位を変更することができ，洗浄効果の向上および作業性の向上を図ることができる。
【００４２】
【発明の効果】
以上説明したように，本発明のフード付きシャワーノズル（請求項１）は，水飛散防止用フードが，多孔質素材からなる第１の層と，第１の層より硬質の多孔質素材からなる第２の層とを有し，吐出口の近傍の第１の層の外側を第２の層で覆ったため，ノズルからの吐出水圧や吐出水量にかかわらず，水の飛散を防止すると共に，水の排出を適切に行うことができる。また，多孔質素材が洗浄面にソフトに密着するので，さらに水飛散防止効果を高めることができると共に，洗浄面を傷めることなく，使用感の向上を図ることができる。また，硬めの多孔質素材を吐出口の近傍に配置したため，この第２の層を掴んで洗浄作業を行うことができ，作業性の向上を図ることができる。
【００４４】
また，本発明のフード付きシャワーノズル（請求項２）は，請求項１に記載のフード付きシャワーノズルにおいて，水飛散防止用フードが，シャワーノズルの吐出口側から洗浄部位側に向かって徐々に内径を大きくした円筒形状であるため，フードを洗浄面に当接した状態でも，水が当たる部位を変更することができ，洗浄効果の向上および作業性の向上を図ることができる。
【００４５】
また，本発明のフード付きシャワーノズル（請求項３）は，請求項１または２に記載のフード付きシャワーノズルにおいて，水飛散防止用フードが，シャワーノズルから着脱可能であるため，複数の水飛散防止用フードを用意して，これらを取り替えて使用することが可能であり，未使用状態の水飛散防止用フードを乾かしたり，消毒することができ，衛生的である。特にかびの発生・悪臭の発生を防ぐことができるので，使用感が向上する。
【図面の簡単な説明】
【図１】実施の形態１のフード付きシャワーノズルの構成図である。
【図２】実施の形態２の水飛散防止用フードの構成図である。
【図３】実施の形態３の水飛散防止用フードの構成図である。
【図４】実施の形態４の水飛散防止用フードの構成図である。
【図５】実施の形態５の水飛散防止用フードの構成図である。
【図６】実施の形態６の水飛散防止用フードの構成図である。
【図７】実施の形態６の変形例を示す説明図である。
【図８】実施の形態１〜６の変形例を示す説明図である。
【図９】実施の形態１〜６の変形例を示す説明図である。
【図１０】実施の形態１〜６の変形例を示す説明図である。
【図１１】従来のフード付きシャワーノズルの例を示す説明図である。
【符号の説明】
１０１    シャワーノズル
１０１ａ  吐出口
１０２    水飛散防止用フード（網状の素材）
２０１    水飛散防止用フード（網状の素材）
２０１ａ  網状の素材
２０１ｂ  網状の素材
ΔＤ      空間（空間層）
３０１    水飛散防止用フード（多孔質素材）
４０１    水飛散防止用フード
５０１    水飛散防止用フード
６０１    水飛散防止用フード
６０２    第１のフード
６０３    第２のフード
【図１】
0004031095.tif 000002
【図２】
0004031095.tif 000003
【図３】
0004031095.tif 000004
【図４】
0004031095.tif 000005
【図５】
0004031095.tif 000006
【図６】
0004031095.tif 000007
【図７】
0004031095.tif 000008
【図８】
0004031095.tif 000009
【図９】
0004031095.tif 000010
【図１０】
0004031095.tif 000011
【図１１】
0004031095.tif 000012